(57)【要約】【課題】  本発明は通信装置収容用の密閉筐体に係り、通信装置の運用状態に影響なく保守が容易な通信装置収容用の密閉筐体を提供することを第一の目的とする。【解決手段】  請求項１に係る通信装置収容用の密閉筐体は、正面に開閉扉が取り付く筐体本体の側面および／または天井面に該筐体本体の内外を貫通するヒートシンクを装着し、筐体本体の内部に前記ヒートシンクへの送風用の循環ファンを装着すると共に、筐体本体の外部に、前記ヒートシンクを覆い、該ヒートシンクへの送風用の外部ファンユニットを装着した強制空冷用ダクトを取り付けたことを特徴とする。そして、請求項２に係る発明は、請求項１に記載の通信装置収容用の密閉筐体に於て、前記強制空冷用ダクトの内部に、該ダクト内の流路を狭める仕切板を設けたことを特徴とする。【選択図】    図６
2009124074.tif 000002
【特許請求の範囲】
【請求項１】
正面に開閉扉が取り付く筐体本体の側面および／または天井面に該筐体本体の内外を貫通するヒートシンクを装着し、筐体本体の内部に前記ヒートシンクへの送風用の循環ファンを装着すると共に、筐体本体の外部に、前記ヒートシンクを覆い、該ヒートシンクへの送風用の外部ファンユニットを装着した強制空冷用ダクトを取り付けたことを特徴とする通信装置収容用の密閉筐体。
【請求項２】
前記強制空冷用ダクトの内部に、該ダクト内の流路を狭める仕切板を設けたことを特徴とする請求項１に記載の通信装置収容用の密閉筐体。
【請求項３】
前記仕切板を、強制空冷用ダクトの流入口側のヒートシンク端部より内方に配置したことを特徴とする請求項２に記載の通信装置収容用の密閉筐体。
【請求項４】
前記仕切板を、強制空冷用ダクトの流出口側のヒートシンク端部より内方に配置したことを特徴とする請求項２または請求項３に記載の通信装置収容用の密閉筐体。
【請求項５】
前記外部ファンユニットを、筐体本体の外部から前記強制空冷用ダクトに着脱自在に取り付けたことを特徴とする請求項１乃至請求項４のいずれか１項に記載の通信装置収容用の密閉筐体。
【請求項６】
前記外部ファンユニットは、前記強制空冷用ダクトに着脱自在に取り付き、複数の吸気口が設けられたプレートと、該プレートに取り付くファンとを備え、該ファンとプレートとの間に所定量の間隙を設けたことを特徴とする請求項１乃至請求項５のいずれか１項に記載の通信装置収容用の密閉筐体。
【請求項７】
前記筐体本体の内部に、筐体本体の正面側に向かって取付用ガイドレールが形成された通信装置の取付台を設置したことを特徴とする請求項１乃至請求項６のいずれか１項に記載の通信装置収容用の密閉筐体。
【請求項８】
前記筐体本体の内部に、流入口を仕切板で絞ったダクトを装着し、該ダクト内に自然空冷装置を収容すると共に、該ダクトの流出口に、送風用の循環ファンを斜め上方に向けて装着したことを特徴とする請求項１乃至請求項７のいずれか１項に記載の通信装置収容用の密閉筐体。
【発明の詳細な説明】
【技術分野】
【０００１】
本発明は、通信装置を収容する密閉筐体に関する。
【背景技術】
【０００２】
通信装置を収容する筐体に於て、内部に収容する通信装置は高消費電力化の傾向にあり、筐体内部の温度上昇緩和のために筐体に通風孔を設けることが一般的である。一方、塩害地域等での使用に於ては、筐体に通風孔を設けることができず、筐体のサイズを大きくすることで内部温度上昇を緩和してきた。
【０００３】
しかし、筐体を設置するスペースが十分でないケースもあり、筐体の小型化が要求されているのが実情である。従って、小型化，密閉筐体に於て、熱の問題を解決する必要がある。
【０００４】
また、密閉筐体に於ても、高価な熱交換器等をオプションで選択できる製品があるが、これらは筐体を開き、且つ通信装置を停止した状態での保守が一般的である。そして、熱交換器にはファンを具備しているが、従来は熱交換器単体での交換，修理が困難であった。
【０００５】
更に、市販の筐体では、筐体本体内の背面部に設けたベース（木板または金属板）に通信装置の取付用のネジ孔を設けて、通信装置を押さえつけ乍らベースにネジ固定しているため、通信装置の設置作業が困難であり、而も、配線作業時に通信装置の配線部が確認し難く配線作業が困難であった。
【０００６】
加えて、光ネットワークの最終装置（例えば、メディアコンバータ）の殆どは自然空冷装置であるため、これを密閉筐体内に搭載する場合には、筐体内部の温度上昇に依存して使用が困難な場合がある。そして、既存の筐体に於て、自然空冷装置専用の冷却構造を具備している筐体は皆無であった。
【０００７】
また、特許文献１には、通信装置の中継器を収容する屋外設置用筐体の冷却能力の優れた筐体冷却構造を提供することを目的として、通信装置の屋外設置用筐体の天井部分に形成した筐体を水平方向に横断する通風用の水平通気路と、該水平通気路に外気を通風せしめる通風手段と、水平通気路と筐体内部とを仕切る仕切部材とを有し、筐体内部に垂直に延びる通信装置取付け用ラックを備えた通信装置用筐体の冷却構造に於て、前記仕切り部材が水平通気路の外気流れ方向に沿い所定角度垂直方向に傾斜する傾斜仕切り部を有し、該傾斜仕切り部にこれに沿って延びるフィンを水平通気路と筐体内部とに有する放熱媒材が貫設され、前記通信装置取付け用ラックに、下端が筐体下部に開放し、上端が前記仕切り部材を貫通して水平通気路に臨む導管が付設されるよう構成した筐体の冷却構造が開示されている。
【特許文献１】特開平２−３０２０９７号公報
【発明の開示】
【発明が解決しようとする課題】
【０００８】
しかし乍ら、前記筐体の冷却構造は、筐体内部の自然対流を利用して内部の冷却を図る構造上、内部の通信機器に対する冷却能力が未だ十分とはいえず、自然空冷装置の搭載も困難であった。
【０００９】
また、既述した通信装置の設置や配線作業の作業性に対する改善策もなく、このため、依然として通信装置の設置や配線作業が困難であるのが実情であった。
【００１０】
本発明は斯かる実情に鑑み案出されたもので、筐体内部の発熱を効率よく外気に放熱することができ、併せて通信装置の運用状態に影響なく保守が容易な通信装置収容用の密閉筐体を提供することを第一の目的とする。
【００１１】
そして、本願の第二の目的は、通信装置の設置や配線作業の改善を図った通信装置収容用の密閉筐体を提供することにあり、更に本願の他の目的として、筐体内に自然空冷装置を搭載することのできる通信装置収容用の密閉筐体を提供することにある。
【課題を解決するための手段】
【００１２】
斯かる目的を達成するため、請求項１に係る通信装置収容用の密閉筐体は、正面に開閉扉が取り付く筐体本体の側面および／または天井面に該筐体本体の内外を貫通するヒートシンクを装着し、筐体本体の内部に前記ヒートシンクへの送風用の循環ファンを装着すると共に、筐体本体の外部に、前記ヒートシンクを覆い、該ヒートシンクへの送風用の外部ファンユニットを装着した強制空冷用ダクトを取り付けたことを特徴とする。
【００１３】
そして、請求項２に係る発明は、請求項１に記載の通信装置収容用の密閉筐体に於て、前記強制空冷用ダクトの内部に、該ダクト内の流路を狭める仕切板を設けたことを特徴とし、請求項３に係る発明は、請求項２に記載の通信装置収容用の密閉筐体に於て、前記仕切板を、強制空冷用ダクトの流入口側のヒートシンク端部より内方に配置したことを特徴とし、更に請求項４に係る発明は、請求項２または請求項３に記載の通信装置収容用の密閉筐体に於て、前記仕切板を、強制空冷用ダクトの流出口側のヒートシンク端部より内方に配置したことを特徴とする。
【００１４】
また、請求項５に係る発明は、請求項１乃至請求項４のいずれか１項に記載の通信装置収容用の密閉筐体に於て、前記外部ファンユニットを、筐体本体の外部から前記強制空冷用ダクトに着脱自在に取り付けたことを特徴とし、請求項６に係る発明は、請求項１乃至請求項５のいずれか１項に記載の通信装置収容用の密閉筐体に於て、前記外部ファンユニットは、前記強制空冷用ダクトに着脱自在に取り付き、複数の吸気口が設けられたプレートと、該プレートに取り付くファンとを備え、該ファンとプレートとの間に所定量の間隙を設けたことを特徴とする。
【００１５】
そして、請求項７に係る発明は、請求項１乃至請求項６のいずれか１項に記載の通信装置収容用の密閉筐体に於て、前記筐体本体の内部に、筐体本体の正面側に向かって取付用ガイドレールが形成された通信装置の取付台を設置したことを特徴とし、請求項８に係る発明は、請求項１乃至請求項７のいずれか１項に記載の通信装置収容用の密閉筐体に於て、前記筐体本体の内部に、流入口を仕切板で絞ったダクトを装着し、該ダクト内に自然空冷装置を収容すると共に、該ダクトの流出口に、送風用の循環ファンを斜め上方に向けて装着したことを特徴とする。
【発明の効果】
【００１６】
各請求項に係る発明によれば、筐体の小型化を維持し乍ら筐体本体内の発熱を外部に放熱することが可能で、自然空冷装置の設置も可能である。
【００１７】
そして、請求項２に係る発明によれば、強制空冷用ダクトの内部に該ダクト内の流路を狭める仕切板を設けたため、外部ファンユニットからの風を効率よくヒートシンクに当てることができ、請求項３に係る発明によれば、外部ファンユニットからの大量の風がヒートシンクへと流入し易くなり、更に請求項４に係る発明によれば、風がヒートシンクから抜け易くなるため、大量の風を更に効率よくヒートシンクに当てることが可能となる。
【００１８】
また、請求項５に係る発明によれば、外部ファンユニットを、筐体本体の外部から前記強制空冷用ダクトに着脱自在に取り付けたため、通信装置を作動したまま筐体本体の外部から外部ファンユニットを取り外すことができるので、ファンの保守，点検，交換作業が容易である。
【００１９】
更にまた、請求項６に係る発明によれば、吸気口を流下する吸気の風切り音を防止することができると共に、ファンとプレートとの間に所定量の間隙を設けた構造上、プレートにファンを直付けした場合に比しファンの吸気流量を増加させることが可能となる。
【００２０】
そして、請求項７に係る発明によれば、取付台に設けたガイドレールに沿って通信装置を筐体本体内に取り付けることができるため、通信装置を押さえつけ乍ら筐体内のベースにネジ止めしていた従来に比し、通信装置を筐体本体内に容易に搭載することが可能となった。
【００２１】
而も、取付台に通信装置を搭載すると、通信装置の正面側が筐体本体の正面側に向くため、従来に比しケーブル配線も容易である。
【００２２】
そして、請求項８に係る発明によれば、ダクト内の自然空冷装置を効果的に冷却することが可能であると共に、ダクトの流出口に循環ファンを斜め上方に向けて装着した構造上、ダクトの流入口からダクト内に流入した風を偏りなく流下させることができる利点を有する。
【発明を実施するための最良の形態】
【００２３】
以下、本発明の実施形態を図面に基づいて詳細に説明する。
【００２４】
図１乃至図５は請求項１乃至請求項８の一実施形態に係る通信装置収容用の密閉筐体の外観図を示し、図中、１は正面側に枠体３が突設されたボックス状の筐体本体で、開口する該枠体３に開閉扉５が横方向へ開閉自在に蝶着され、該開閉扉５に周知のロックハンドル７が装着されている。
【００２５】
そして、図６および図７に示すように筐体本体１の天井面９と左右の両側面１１，１３に、夫々、筐体本体１の内外を貫通するヒートシンク１５，１７，１９が装着されており、各ヒートシンク１５，１７，１９は、夫々、天井面９と両側面１１，１３に設けられた開口部内に挿着されて、各開口部の周縁部にプレート２１を介してボルト締めされている。
【００２６】
尚、図７に示すようにヒートシンク１５，１７，１９は、夫々、アルミや銅等で形成されたプレート２１の表裏に多数のフィン２３を長手方向に突設して構成されている。また、開口部の周縁部とプレート２１との間、および前記枠体３と開閉扉５との間にパッキン（図示せず）が介装されて筐体本体１の水密性が確保されている。
【００２７】
そして、図１乃至図６に示すように前記ヒートシンク１５，１７，１９を覆って筐体本体１の天井面９と左右の両側面１１，１３に、夫々、断面コ字状の日除け兼用の強制空冷用ダクト２５，２７，２９が取り付けられており、天井面９に取り付く強制空冷用ダクト２５は、天井面９と平面視同一形状，同一寸法に形成され、図６に示すように強制空冷用ダクト２５の一端側（筐体本体１の側面１１側）に、後述する外部ファンユニット３１が着脱自在に取り付き、強制空冷用ダクト２５の他端側（筐体本体１の側面１３側）は、図２の如く複数の排気口３３が開口する側壁３５が設けられている。
【００２８】
同様に、筐体本体１の側面１１，１３に取り付く強制空冷用ダクト２７，２９は、夫々、側面１１，１３と正面視同一形状，同一寸法に形成されて、図６に示すように強制空冷用ダクト２７，２９の下側に外部ファンユニット３１が着脱自在に取り付き、強制空冷用ダクト２７，２９の上側は側壁３７で閉塞されて、図２乃至図５に示すように強制空冷用ダクト２７，２９の上部側面に複数の排気口３９が設けられている。
【００２９】
図８に示すように外部ファンユニット３１は、強制空冷用ダクト２５の一端側の開口部に設けた取付フランジ４１に着脱自在に４箇所が筐体本体１の外部でネジ４２で固定されたプレート４３と、該プレート４３にボックス状のスペーサ４５を介して左右に並設された２つの送風ファン４７とからなり、強制空冷用ダクト２５の一端側は前記外部ファンユニット３１で閉塞され、プレート４３には複数の吸気口４８が設けられている。
【００３０】
このように、２つの送風ファン４７をボックス状のスペーサ４５を介してプレート４３に装着したことで、該プレート４３に送風ファン４７を直付けした場合に比し、吸気口４８を流下する吸気の風切り音を防止することができると共に、ボックス状のスペーサ４５を介してプレート４３と送風ファン４７との間に所定量の間隙を設けることで、プレート４３に送風ファン４７を直付けした場合に比し吸気流量を増加させることが可能となる。
【００３１】
尚、その他の強制空冷用ダクト２７，２９に取り付く外部ファンユニット３１も、強制空冷用ダクト２５に取り付く前記外部ファンユニット３１と同一構造である。
【００３２】
また、図６および図７に示すように各強制空冷用ダクト２５，２７，２９の内部には、該ダクト２５，２７，２９内の流路を狭める仕切板４９，５１，５３が長手方向に設けられており、斯様に各ダクト２５，２７，２９内の流路を仕切板４９，５１，５３で絞ることで、前記送風ファン４７から各ダクト２５，２７，２９内に送風された風Ｗ１を効率よくヒートシンク１５，１７，１９に当てて、ヒートシンク１５，１７，１９の熱交換率を高めている。
【００３３】
そして、図６に示すように各仕切板４９，５１，５３の流入口側端部（風Ｗ１の上流側端部）は、強制空冷用ダクト２５，２７，２９の流入口側のヒートシンク１５，１７，１９の端部より内方に配置されると共に、各仕切板４９，５１，５３の流出口側端部（風Ｗ１の下流側端部）は、強制空冷用ダクト２５，２７，２９の流出口側のヒートシンク１５，１７，１９の端部より内方に配置されており、斯かる構成によって強制空冷用ダクト２５，２７，２９の流入口側の通風抵抗が軽減して、送風ファン４７からの大量の風Ｗ１がヒートシンク１５，１７，１９へと流下し易く、強制空冷用ダクト２５，２７，２９の流出口側が広くなって風１が抜け易くなっている。そして、ヒートシンク１５，１７，１９とで熱交換された風１は、夫々、前記排気口３３，３９から外部へ排出される。
【００３４】
そして、図６の如く筐体本体１内に、図９および図１０に示す通信装置５５の取付台５７が設置されている。
【００３５】
図９および図１０に示すように取付台５７は、通信装置５５を上下から支持する平面視同一形状の水平な一対の支持板５９，６１と、該支持板５９，６１を連結する平板状の支持脚６３とからなる側面視コ字に形成されており、図６および図１０に示すように該支持脚６３が、筐体本体１内の背面部６５にボルト締めされるベース（木板または金属板）６７にネジ止めされて、取付台５７が筐体本体１内に設置されている。
【００３６】
而して、取付台５７の上方の支持板５９には、該支持板５９を切り起こして２枚の平行なガイドレール６９，７１が下方へ折曲されており、図９乃至図１１に示すように両ガイドレール６９，７１は筐体本体１の正面側（開閉扉３側）へ向かって斜めに延設され、支持板５９の前側は、ガイドレール６９，７１の延設方向と直交する傾斜辺７３，７５が形成されている。そして、該傾斜辺７３，７５に、夫々、装置固定片７７，７９が上方へ折曲して一体に形成されており、該装置固定片７７，７９に、夫々、複数（本実施形態では３個）のネジ穴８１がラック搭載時と同じピッチで設けられている。
【００３７】
一方、下側の支持板６１にも、前記ガイドレール６９，７１に対応して２枚の平行なガイドレール８３，８５が支持板６１を切り起こしてこれを上方へ折曲して設けられており、その前方に、同じくガイドレール８３，８５の延設方向と直交する支持板６１側の傾斜辺８７，８９が配置されている。そして、該傾斜辺８７，８９に、夫々、装置固定片９１，９３が下方へ折曲して一体に形成されており、該装置固定片９１，９３に、夫々、３個のネジ穴８１がラック搭載時と同じピッチで設けられている。
【００３８】
取付台５７はこのように構成されているから、ベース６７に取り付く取付台５７に通信装置５５を取り付けるには、図１０の如く通信装置５５の正面側の上下に固定用金具９５を装着して、図１１の如くガイドレール６９，８３に沿って通信装置５５をスライドさせて搭載すればよく、奥まで通信装置５５を押し込むと前記装置固定片７７，９１に固定用金具９５が当接し、これらをネジ固定することで取付台５７に通信装置５５が搭載される。
【００３９】
同様に、図１０の如くもう一つの通信装置５５も、同様な手順で取付台５７に搭載されており、ガイドレール６９，７１，８３，８５を切り起こして支持板５９，６１に形成された孔９６を通して、各通信装置５５へ冷却風が吸気される。
【００４０】
そして、図６，図１３乃至図１６に示すように筐体本体１内の底部９７側に、ダクト９９を介して自然空冷装置１０１が設置されている。
【００４１】
図１４に示すようにダクト９９は、左右に流入口１０３と流出口１０５が形成され、前面板１０７が着脱自在にネジ止めされた略直方体形状をなしており、該前面板１０７の着脱によって、ダクト９９内への自然空冷装置１０１の取付け／取り外しができるようになっている。
【００４２】
図１４および図１５に示すように流出口１０５は斜め上方に開口し、該流出口１０５に循環ファン１０９が斜め上方に向かって装着されている。
【００４３】
而して、図６および図１３に示すようにダクト９９は、その上面に取り付く取付金具１１１を前記ベース６７にネジ止めして筐体本体１内に設置されており、斯様に筐体本体１内にダクト９９を設置すると、図６に示すように前記循環ファン１０９は、筐体本体１の側面１３に取り付けたヒートシンク１９に向かって、該ヒートシンク１９の斜め下方から風Ｗ２を送風するようになっている。
【００４４】
尚、ダクト９９は筐体本体１内に常時取り付けられており、自然空冷装置１０１を筐体本体１内に装着する場合、既述したように前面板１０７を外してダクト９９内へ自然空冷装置１０１を取り付ければよい。
【００４５】
一方、図１３，図１４および図１６に示すようにダクト９９の流入口１０３は仕切板１１３で流入面積が絞られており、斯様に流入口１０３の流入面積を絞ることでダクト９９内に流入した風Ｗ２の流速を上げ、前記循環ファン１０９で風Ｗ２を吸引することで、ダクト９９内の自然空冷装置１０１を強制的に空冷するようになっている。そして、図１６に示すように自然空冷装置１０１は前記風Ｗ２の流路上に配置されて、風Ｗ２がダイレクトに当たるようになっている。
【００４６】
更に、図６，図１０および図１１に示すように筐体本体１内の上部には、側面１１に取り付くヒートシンク１７に沿って風Ｗ２を上方から下方へ送風する循環ファン１１５が、前記循環ファン１０９と略対角線上にベース６７に装着されており、図６の矢印で示すようにこれら２つの循環ファン１０７，１１５によって、筐体本体１内を風Ｗ２が循環するようになっている。
【００４７】
その他、図６中、１１７はベース６７に装着された電源ユニット、１１９は制御盤、１２１はケーブルタップで、該ケーブルタップ１２１からケーブルが通信装置５５や循環ファン１０９，１５１等に配線されている。そして、図１中、１２３は本実施形態に係る密閉筐体１２５の設置台である。
【００４８】
本実施形態はこのように構成されているから、筐体本体１内に設置した取付台５７に通信装置５５を取り付けるには、通信装置５５の正面側の上下に固定用金具９５を装着して、図１１の如く筐体本体１の正面側へ斜めに形成されたガイドレール６９，８３に沿って通信装置５５をスライドさせて搭載すればよく、奥まで通信装置５５を押し込むと装置固定片７７，９１に固定用金具９５が当接するので、これらをネジ止めして取付台５７に通信装置５５が搭載される。
【００４９】
同様に、もう一つの通信装置５５を取付台５７に取り付ける場合も、同様な手順でガイドレール７１，８５側に搭載すればよく、斯様に取付台５７に通信装置５５を搭載することで、図１２に示すように通信装置５５の正面側が筐体本体１の正面側に向くこととなる。
【００５０】
また、自然空冷装置１０１を筐体本体１内に装着する場合には、図１４の如く前面板１０７を外してダクト９９内へ自然空冷装置１０１を取り付ければよい。
【００５１】
そして、開閉扉５を閉め、通信装置５５や自然空冷装置１０１の作動に伴い外部ファンユニット３１を作動し、筐体本体１内の２つの循環ファン１０７，１１５を作動させればよい。
【００５２】
而して、循環ファン１０７，１１５の作動により、図６の如くヒートシンク１５，１７，１９に沿って筐体本体１内に風Ｗ２が矢印方向へ対流し、ダクト９９の流入口１０３で流速が上がった風Ｗ２が循環ファン１０９で積極的に吸引されることによって、ダクト９９内の自然空冷装置１０１が風Ｗ２によって強制的且つ積極的に冷却される。
【００５３】
そして、循環ファン１０９によって風Ｗ２がヒートシンク１９の斜め下方から該ヒートシンク１９に送風されるが、循環ファン１０９が斜め上方へ向いて流出口１０５に取り付けられているため、流入口１０３からダクト９９内に流入した風Ｗ２がダクト９９内部を偏りなく流下して循環ファン１０９に吸引されることとなる。
【００５４】
一方、外部ファンユニット３１を作動させると、送風ファン４７によって強制空冷用ダクト２５，２７，２９内に風Ｗ１が送風されるが、既述したように各ダクト２５，２７，２９内の流路を仕切板４９，５１，５３で絞り、而も、仕切板４９，５１，５３の流入口側端部をヒートシンク１５，１７，１９の端部より内方に配置して大量の風Ｗ１がヒートシンク１５，１７，１９へと流入し易くし、また、仕切板４９，５１，５３の流出口側端部をヒートシンク１５，１７，１９の端部より内方に配置して風１が抜け易くしているため、大量の風Ｗ１が効率よくヒートシンク１５，１７，１９に当たることとなる。
【００５５】
従って、通信装置５５や自然空冷装置１０１の作動に伴い、筐体本体１内の温度が上昇するが、内外を風Ｗ１，Ｗ２が流下するヒートシンク１５，１７，１９により筐体本体１の内部の空気が熱交換されて、筐体本体１内の発熱を外部に良好に放熱される。
【００５６】
また、既述したように外部ファンユニット３１は、２つの送風ファン４７をボックス状のスペーサ４５を介してプレート４３に装着しているため、吸気口４８を流下する吸気の風切り音が防止されると共に、スペーサ４５を介してプレート４３と送風ファン４７との間に所定量の間隙を設けたことで、プレート４３に送風ファン４７を直付けした場合に比し送風ファン４７の吸気流量が増加することとなる。
【００５７】
そして、外部ファンユニット４１の保守や交換の際には、開閉扉５を閉じたまま（通信装置５５を作動したまま）、図８の如く筐体本体１の外部から外部ファンユニット４１を強制空冷用ダクト２５，２７，２９を取り外せばよい。
【００５８】
このように本実施形態は、
[1]筐体本体１内に、筐体本体１の正面側へ向かって斜めにガイドレール６９，７１，８３，８５を設けた取付台５７を装着し、該ガイドレール６９，７１，８３，８５を利用して通信装置５５を筐体本体１内に取り付けるようにしたので、通信装置を押さえつけ乍ら筐体内のベースにネジ止めしていた従来に比し、通信装置５５を筐体本体１内に容易に搭載することが可能となった。
【００５９】
[2]また、図１２に示すように取付台５７に通信装置５５を搭載すると、通信装置５５の正面側が筐体本体１の正面側に向くため、従来に比しケーブル配線も容易である。
【００６０】
そして、
[3]通信装置５５や自然空冷装置１０１の作動に伴い、筐体本体１内は温度が上昇するが、筐体本体１の外部に装着した外部ファンユニット３１と内部に装着した循環ファン１０９，１１５、そして、筐体本体１の内外を貫通するヒートシンク１５，１７，１９によって筐体本体１の内部の熱を熱交換できるため、密閉筐体１２５の小型化を維持し乍ら筐体本体１内の発熱を外部に放熱することが可能で、自然空冷装置１０１の設置も可能である。
【００６１】
[4]而も、本実施形態によれば、各ダクト２５，２７，２９内の流路を仕切板４９，５１，５３で絞り、更に仕切板４９，５１，５３の流入口側端部をヒートシンク１５，１７，１９の端部より内方に配置して大量の風Ｗ１がヒートシンク１５，１７，１９へと流入し易くし、また、仕切板４９，５１，５３の流出口側端部をヒートシンク１５，１７，１９の端部より内方に配置して風１が抜け易くしているため、大量の風Ｗ１を効率よくヒートシンク１５，１７，１９に当てることが可能である。
【００６２】
[5]また、自然空冷装置１０１を収容するダクト９９の流入口１０３に仕切板１１３を取り付けて風Ｗ２の流速を上げると共に、この風Ｗ２を循環ファン１０９で積極的に吸引させる構造上、ダクト９９内の自然空冷装置１０１を効果的に冷却することが可能である。
【００６３】
[6]加えて、前記循環ファン１０９によって風Ｗ２がヒートシンク１９の斜め下方から該ヒートシンク１９に送風されるが、循環ファン１０９を斜め上方へ向けて流出口１０５に取り付けた結果、流入口１０３からダクト９９内に流入した風Ｗ２をダクト９９内を偏りなく流下させることができる。
【００６４】
[7]そして、開閉扉５を閉じたまま（通信装置５５を作動したまま）、図８の如く筐体本体１の外部から外部ファンユニット４１を強制空冷用ダクト２５，２７，２９から取り外すことができるので、送風ファン４７の保守，点検，交換作業が容易である。
【００６５】
[8]更に、既述したように本実施形態は、外部ファンユニット３１の２つの送風ファン４７をボックス状のスペーサ４５を介してプレート４３に装着したため、吸気口４８を流下する吸気の風切り音を防止することができると共に、スペーサ４５を介してプレート４３と送風ファン４７との間に所定量の間隙を設けた結果、プレート４３に送風ファン４７を直付けした場合に比し送風ファン４７の吸気流量を増加させることが可能である。
【００６６】
尚、前記実施形態は、筐体本体１の天井面９と左右の側面１１，１３に該筐体本体１の内外を貫通するヒートシンク１５，１７，１９を装着したが、仕様に応じ例えば筐体本体の左右の側面にのみ、該筐体本体の内外を貫通するヒートシンクを装着してもよい。
【００６７】
そして、筐体本体の内部に装着する循環ファンの取付位置や個数も前記実施形態に限定されるものでなく、仕様に応じ適宜変更可能である。
【図面の簡単な説明】
【００６８】
【図１】請求項１乃至請求項８の一実施形態に係る密閉筐体の正面図である。
【図２】密閉筐体の側面図である。
【図３】密閉筐体の側面図である。
【図４】密閉筐体の斜視図である。
【図５】密閉筐体の斜視図である。
【図６】密閉筐体の正面側断面図である。
【図７】強制空冷用ダクト内の構造を示す密閉筐体の断面斜視図である。
【図８】外部ファンユニットを強制空冷用ダクトから取り外した状態を示す密閉筐体の斜視図である。
【図９】通信装置の取付台の全体斜視図である。
【図１０】通信装置が取り付く取付台の斜視図である。
【図１１】通信装置の取付方法を示す取付台の平面図である。
【図１２】通信装置が取り付く取付台の斜視図である。
【図１３】自然空冷装置を内部に装着したダクトの斜視図である。
【図１４】ダクトの分解斜視図である。
【図１５】前面板を取り外したダクトの正面側である。
【図１６】ダクトの断面図である。
【符号の説明】
【００６９】
１  筐体本体
３  枠体
５  開閉扉
９  天井面
１１，１３  側面
１５，１７，１９  ヒートシンク
２１  プレート
２３  フィン
２５，２７，２９  強制空冷用ダクト
３１  外部ファンユニット
３３，３９  排気口
４３  プレート
４５  スペーサ
４７  送風ファン
４８  吸気口
４９，５１，５３，１１３  仕切板
５５  通信装置
５７  取付台
５９，６１  支持板
５３  支持脚
６７  ベース
６９，７１，８３，８５  ガイドレール
７７，７９，９１，９３  装置固定片
９５  固定用金具
９９  ダクト
１０１  自然空冷装置
１０３  流入口
１０５  流出口
１０７  前面板
１０９，１１５  循環ファン
１２５  密閉筐体
【図１】
2009124074.tif 000003
【図２】
2009124074.tif 000004
【図３】
2009124074.tif 000005
【図４】
2009124074.tif 000006
【図５】
2009124074.tif 000007
【図６】
2009124074.tif 000008
【図７】
2009124074.tif 000009
【図８】
2009124074.tif 000010
【図９】
2009124074.tif 000011
【図１０】
2009124074.tif 000012
【図１１】
2009124074.tif 000013
【図１２】
2009124074.tif 000014
【図１３】
2009124074.tif 000015
【図１４】
2009124074.tif 000016
【図１５】
2009124074.tif 000017
【図１６】
2009124074.tif 000018